(57)【要約】【課題】装置への取り付けを容易とする有極電解コンデンサの取り付け構造を提供する。【解決手段】複数の有極電解コンデンサの陽極端子２および陰極端子３をそれぞれ一括して接続する陽極端子固定用ブスバー６および陰極端子固定用ブスバー７と、陽極平面電極板８および陰極平面電極板９にそれぞれ固定され、且つ電気接続された陽極側ブスバー固定用レール４および陰極側ブスバー固定用レール５とを備え、陽極端子固定用ブスバー６を陽極側ブスバー固定用レール４と陽極平面電極板８の間に、陰極端子固定用ブスバー７を陰極側ブスバー固定用レール５と陰極平面電極板９の間に通して挟み込み、陽極端子固定用ブスバー６および陰極端子固定用ブスバー７の先端部と終端部をそれぞれ陽極平面電極板８および陰極平面電極板９とネジで締め固定した。【選択図】図１
2006294834.tif 000002
【特許請求の範囲】
【請求項１】
複数の有極性電解コンデンサ（１）の陽極端子（２）を陽極平面電極板（８）に、
前記複数の有極性電解コンデンサ（１）の陰極端子（３）を陰極平面電極板（９）に取り付ける有極性電解コンデンサの取り付け構造において、
前記陽極端子（２）を一括して接続する導電性の陽極端子固定用ブスバー（６）と、
前記陰極端子（３）を一括して接続する導電性の陰極端子固定用ブスバー（７）と、
前記陽極平面電極板（８）に固定され、且つ電気接続された陽極側ブスバー固定用レール（４）と、
前記陰極平面電極板（９）に固定され、且つ電気接続された陰極側ブスバー固定用レール（５）と、を備え、
前記陽極端子固定用ブスバー（６）を前記陽極側ブスバー固定用レール（４）と前記陽極平面電極板（８）の間に通して挟み込み、
前記陰極端子固定用ブスバー（７）を前記陰極側ブスバー固定用レール（５）と前記陰極平面電極板（９）の間に通して挟み込み、
前記陽極端子固定用ブスバー（６）の先端部と終端部をそれぞれ前記陽極平面電極板（８）にネジ締めして固定し、
前記陰極端子固定用ブスバー（７）の先端部と終端部をそれぞれ前記陰極平面電極板（９）とネジ締めして固定したことを特徴とする有極性電解コンデンサの取り付け構造。
【発明の詳細な説明】
【技術分野】
【０００１】
本発明は、電力変換装置などにおいて複数の有極性電解コンデンサを平面電極板に取り付け並列接続とする有極性電解コンデンサの取り付け構造に関する。
【背景技術】
【０００２】
従来技術の有極性電解コンデンサの取り付け構造は、有極性電解コンデンサにブスバーまたは平面電極板を用いて直接ネジまたはボルトにて締め付け固定する構造であった（例えば、特許文献１参照）。
図６は、従来技術を示す有極性電解コンデンサの取り付け構造の説明図であり、電圧型インバータにおける電解コンデンサの一般的な取り付け構造である。
図６において、１は有極性電解コンデンサ、２は陽極端子、３は陰極端子、２１は陽極電極板、２２は陰極電極板、２３は絶縁材である。
以下、図６を用いて従来技術の有極性電解コンデンサの取り付け構造について説明する。
絶縁材２３を挟んで陽極電極板２１と陰極電極板２２を積層化したものに有極性電解コンデンサ１の陽極端子２および陰極端子３をネジあるいはボルトで固定する構造である。
有極性電解コンデンサ１の容量、すなわち数を並列に増やす場合は、陽極電極板２１および陰極電極板２２に取り付け穴を増設し有極性電解コンデンサ１を取り付ける。
【特許文献１】特開２０００−３５４３８４号公報（第３頁、第１３図）
【発明の開示】
【発明が解決しようとする課題】
【０００３】
しかしながら、従来技術の有極性電解コンデンサの取り付け構造では、装置に有極性電解コンデンサを取り付ける際、有極性電解コンデンサの数だけネジ締めを行う必要があり作業効率が悪く、またネジ締め不良による装置の信頼性低下の恐れもあった。さらには、有極性電解コンデンサは電解液のドライアップ現象により定期的な交換が必要であり、その為装置から取り外す必要があるが、従来技術の有極性電解コンデンサの取り付け構造では有極性電解コンデンサの数だけネジを取り外し有極性電解コンデンサを一つづつ取り外さなければならなく、多数の有極性電解コンデンサが並列接続された装置では非常に煩雑な作業となっていた。
本発明はこのような問題点に鑑みてなされたものであり、装置への複数の有極性電解コンデンサの取り付け取り外しを容易にする有極性電解コンデンサの取り付け構造を提供することを目的とする。
【課題を解決するための手段】
【０００４】
上記問題を解決するため、本発明は、複数の有極性電解コンデンサの陽極端子を陽極平面電極板に、前記複数の有極性電解コンデンサの陰極端子を陰極平面電極板に取り付ける有極性電解コンデンサの取り付け構造において、前記陽極端子を一括して接続する導電性の陽極端子固定用ブスバーと、前記陰極端子を一括して接続する導電性の陰極端子固定用ブスバーと、前記陽極平面電極板に固定され、且つ電気接続された陽極側ブスバー固定用レールと、前記陰極平面電極板に固定され、且つ電気接続された陰極側ブスバー固定用レールと、を備え、前記陽極端子固定用ブスバーを前記陽極側ブスバー固定用レールと前記陽極平面電極板の間に通して挟み込み、前記陰極端子固定用ブスバーを前記陰極側ブスバー固定用レールと前記陰極平面電極板の間に通して挟み込み、前記陽極端子固定用ブスバーの先端部と終端部をそれぞれ前記陽極平面電極板にネジ締めして固定し、前記陰極端子固定用ブスバーの先端部と終端部をそれぞれ前記陰極平面電極板とネジ締めして固定したことを特徴としている。
【発明の効果】
【０００５】
本発明によれば、複数の有極性電解コンデンサを装置へ取り付ける時のネジ締めは、陽極端子固定用ブスバーおよび陰極端子固定用ブスバーのそれぞれの先端および終端のみで済むため、取り付けが容易で作業効率がよく、またメンテナンス時の装置からの複数の有極性電解コンデンサの取り外し作業においても容易に作業を行うことができる。したがって、作業時間の短縮および作業費の削減が期待できる。
【発明を実施するための最良の形態】
【０００６】
以下、本発明の実施の形態について図に基づいて説明する。
【実施例１】
【０００７】
図１は、本発明を示す有極性電解コンデンサコンデンサの取り付け構造の説明図である。
図１において、１は有極性電解コンデンサ、２は陽極端子、３は陰極端子、４は陽極側ブスバー固定用レール、５は陰極側ブスバー固定用レール、６は陽極端子固定用ブスバー、７は陰極端子固定用ブスバー、８は陽極平面電極板、９は陰極平面電極板、１０は絶縁材である。
図１に示す本実施例の特徴とする点は以下のとおりである。
すなわち、陽極端子２を一括して接続する導電性の陽極端子固定用ブスバー６と、陰極端子３を一括して接続する導電性の陰極端子固定用ブスバー７と、陽極平面電極板８に固定され、且つ電気接続された陽極側ブスバー固定用レール４と、陰極平面電極板９に固定され、且つ電気接続された陰極側ブスバー固定用レール５と、を備え、陽極端子固定用ブスバー６を陽極側ブスバー固定用レール４と陽極平面電極板８の間に通して挟み込み、陰極端子固定用ブスバー７を陰極側ブスバー固定用レール５と陰極平面電極板９の間に通して挟み込み、  陽極端子固定用ブスバー６の先端部と終端部をそれぞれ陽極平面電極板８にネジ締めして固定し、陰極端子固定用ブスバー７の先端部と終端部をそれぞれ陰極平面電極板９とネジ締めして固定するようにしている点である。
【０００８】
図２は、本発明を示す有極性電解コンデンサとブスバーの固定方法の説明図である。
なお、図２において、図１と同じ説明符号のものは図１と同じ構成要素を示している。
図２に示すとおりに、複数の有極性電解コンデンサ１は予めブスバーにより並列に接続されている。すなわち、複数の有極性電解コンデンサ１の陽極端子２は予め導電性のブスバーである陽極端子固定用ブスバー６に接続され、複数の有極性電解コンデンサ１の陰極端子３は予め導電性のブスバーである陰極端子固定用ブスバー７に接続されている。
【０００９】
図３は、本発明を示すレール付き平面電極板の構造図である。
なお、図３において、図１と同じ説明符号のものは図１と同じ構成要素を示している。
図３に示すように、図２に示した複数の有極性電解コンデンサ１が並列接続された陽極端子固定用ブスバー６および陰極端子固定用ブスバー７を、それぞれ陽極側ブスバー固定用レール４と陽極平面電極板８の間および陰極側ブスバー固定用レール５と陰極平面電極板９の間に通して挟み込む。  
【００１０】
図４は、本発明を示すブスバー固定用レール４、５の形状の説明図であり、図４（イ）正面図であり、図４（ロ）は図４（イ）をＡ方向より見た側面図である。
以下、図４を用いて、陽極側ブスバー固定用レール４および陰極側ブスバー固定用レール５の形状について説明する。
陽極側ブスバー固定用レール４および陰極側ブスバー固定用レール５の形状は、陽極端子固定用ブスバー６および陰極端子固定用ブスバー７を、それぞれ陽極平面電極板８および陰極平面電極板９に挟み込む形状とする。
また、陽極側ブスバー固定用レール４および陰極側ブスバー固定用レール５の形状は、
陽極端子固定用ブスバー６および陰極端子固定用ブスバー７を、それぞれ陽極側ブスバー固定用レール４と陽極平面電極板８の間および陰極側ブスバー固定用レール５と陰極平面電極板９の間に通し易くするためにブスバー挿入方向側に曲げ加工を予め施しておく。
【００１１】
図５は、本発明を示すブスバー固定方法の説明図である。
図５において、１１はブスバー固定用ネジである。なお、図１と同じ説明符号のものは図１と同じ構成要素を示している。
以下、図５を用いて陽極端子固定用ブスバー６および陰極端子固定用ブスバー７の固定方法について説明する。
陽極端子固定用ブスバー６および陰極端子固定用ブスバー７を陽極側ブスバー固定用レール４および陰極側ブスバー固定用レール５に通した後、陽極端子固定用ブスバー６の先端部と終端部の２箇所のみをそれぞれ陽極平面電極板８にブスバー固定用ネジ１１にてネジ締めして固定し、陰極端子固定用ブスバー７の先端部と終端部の２箇所のみをそれぞれ陰極平面電極板９とブスバー固定用ネジ１１にてネジ締めして固定する。尚、前述の図１ではこのブスバー固定用ネジ１１の記載は省略している。また、図２ではブスバー７、８取り付け用のネジ孔の記載は省略している。
【００１２】
以上述べたように、本実施例に係る有極性電解コンデンサの取り付け構造は、ブスバー６、７のそれぞれの末端部、すなわち４箇所のネジのみで装置への複数並列接続された有極性電解コンデンサ１の取り付け、取り外しを可能としたので、作業が容易となり作業効率の改善が期待できる。
【産業上の利用可能性】
【００１３】
本発明は、有極性電解コンデンサを平面電極板に取り付ける有極性電解コンデンサの取り付け構造を有するインバータやサーボなどの電力変換装置に広く適用可能である。
【図面の簡単な説明】
【００１４】
【図１】本発明を示す有極性電解コンデンサの取り付け構造の説明図
【図２】本発明を示す有極性電解コンデンサとブスバーの固定方法の説明図
【図３】本発明を示すレール付き平面電極板の構造図
【図４】本発明を示すブスバー固定用レール４、５の形状の説明図
【図５】本発明を示すブスバー固定方法の説明図
【図６】従来技術を示す有極性電解コンデンサの取り付け構造の説明図
【符号の説明】
【００１５】
１  有極性電解コンデンサ
２  陽極端子
３  陰極端子
４  陽極側ブスバー固定用レール
５  陰極側ブスバー固定用レール
６  陽極端子固定用ブスバー
７  陰極端子固定用ブスバー
８  陽極平面電極板
９  陰極平面電極板
１０、２３  絶縁材
１１  ブスバー固定用ネジ
２１  陽極電極板
２２  陰極電極板
【図１】
2006294834.tif 000003
【図２】
2006294834.tif 000004
【図３】
2006294834.tif 000005
【図４】
2006294834.tif 000006
【図５】
2006294834.tif 000007
【図６】
2006294834.tif 000008